(57)【要約】【課題】部品点数を削減できるとともに、厚み寸法を低減したワイヤレススイッチ発信器を提供する。【解決手段】ワイヤレススイッチ発信器は、前面にベース開口２１が開設された箱状のベース２０と、ベース開口２１を閉塞する板状のカバー３０と、押操作される操作子５１ａを有しベース２０内に配設された押釦スイッチ５１と、押釦スイッチ５１の操作子５１ａが押操作されるとワイヤレス信号を出力する発光素子５２とを備える。カバー３０は、ベース２０に固定された板状の固定部３１と、固定部３１とともにベース開口２１を閉塞しヒンジ部を介して一端部が固定部３１に結合されて他端部が前後方向に移動可能な板状の操作ハンドル部３２とを備える。操作ハンドル部３２は、前面に押操作される操作面３２ａを有し押操作時に押釦スイッチ５１の操作子５１ａを押下する。【選択図】図１
2010198794.tif 000002
【特許請求の範囲】
【請求項１】
前面に開口が開設された箱状のベースと、当該開口を閉塞する板状のカバーと、押操作される操作子を有しベース内に配設された押釦スイッチと、押釦スイッチの操作子が押操作されるとワイヤレス信号を出力するワイヤレス信号送信部とを備え、カバーは、ベースに固定された板状の固定部と、固定部とともにベースの開口を閉塞しヒンジ部を介して一端部が固定部に結合されて他端部が前後方向に移動可能な板状の操作ハンドル部とを備え、操作ハンドル部は、前面に押操作される操作面を有し押操作時に押釦スイッチの操作子を押すことを特徴とするワイヤレススイッチ発信器。
【請求項２】
前記操作ハンドル部は、前記固定部に結合される端部とは反対側の端部の後面に突設された脚部と脚部の先端部から脚部の突設方向と交差する方向に突設された引掛部とを有する鉤片を備え、前記ベースに対して定位置に固定され操作ハンドル部の後面と鉤片の引掛部との間に挿入されるとともに前後方向の寸法が操作ハンドル部の後面と鉤片の引掛部との間の距離よりも小さく形成された係止片が設けられていることを特徴とする請求項１記載のワイヤレススイッチ発信器。
【請求項３】
一端部が前記ベースに対して定位置に固定され他端部が前記操作ハンドル部における前記固定部に結合された端部とは反対側の端部の後面に当接し操作ハンドル部の前記操作面に押力を作用させたときに後方に撓むことにより操作ハンドル部への復帰力を付与する復帰片を備えることを特徴とする請求項２記載のワイヤレススイッチ発信器。
【請求項４】
前記ベースとは別部材であってベースの開口における前記固定部に覆われていない部位を覆う形でベースに対して定位置に固定された合成樹脂成形品の中カバーが付加され、前記係止片と前記復帰片との少なくとも一方は、中カバーに形成されていることを特徴とする請求項３記載のワイヤレススイッチ発信器。
【請求項５】
前記ベースとは別部材であってベースの開口における前記固定部に覆われていない部位を覆う形でベースに対して定位置に固定された合成樹脂成形品の中カバーが付加され、前記係止片は、中カバーに形成されていることを特徴とする請求項２記載のワイヤレススイッチ発信器。
【請求項６】
前記ベースとは別部材であってベースの開口における前記固定部に覆われていない部位を覆う形でベースに対して定位置に固定された合成樹脂成形品の中カバーが付加され、中カバーには、前記操作ハンドル部における固定部に結合された端部とは反対側の端部の後面に当接し操作ハンドル部の前記操作面に押力を作用させたときに後方に撓むことにより操作ハンドル部への復帰力を付与する復帰片が形成されていることを特徴とする請求項１記載のワイヤレススイッチ発信器。
【請求項７】
前記係止片と前記復帰片との少なくとも一方は、ベースに形成されていることを特徴とする請求項３記載のワイヤレススイッチ発信器。
【請求項８】
前記係止片は、ベースに形成されていることを特徴とする請求項２記載のワイヤレススイッチ発信器。
【請求項９】
前記ベースには、前記操作ハンドル部における前記固定部に結合された端部とは反対側の端部の後面に当接し操作ハンドル部の前記操作面に押力を作用させたときに後方に撓むことにより操作ハンドル部への復帰力を付与する復帰片が形成されていることを特徴とする請求項１記載のワイヤレススイッチ発信器。
【発明の詳細な説明】
【技術分野】
【０００１】
本発明は、操作スイッチを押操作することによりワイヤレス信号を送出するワイヤレススイッチ発信器に関するものである。
【背景技術】
【０００２】
従来より、照明装置の点灯・消灯や調光、電動カーテンや電動ブラインドの開閉などを指示する操作端末器として用いられるワイヤレススイッチ発信器が提供されている。
【０００３】
図１０に示すワイヤレススイッチ発信器は、発光素子（図示せず）を収容するケース１０を備え、壁に取り付けられた取付ホルダ４０にケース１０が着脱自在に取着される構成を有している（特許文献１参照）。すなわち、取付ホルダ４０に取り付けることにより壁スイッチとして用いることができ、また、取付ホルダ４０から取り外して使用することもできる。
【０００４】
ケース１０は、前面に開口（図示せず）を有し後面を取付ホルダ４０側として取付ホルダ４０に取着されるベース２０と、ベース２０の開口を閉塞する形でベース２０の前面に装着されるカバー３０とを備えている。
【０００５】
図１１に示すように、カバー３０の前面には、凹所３０ａが凹設される。凹所３０ａの底壁には、前面が矩形状の操作片３０ｂを形成するためのコ字状の溝孔３０ｃが貫設される。操作片３０ｂの後方には、小型の押釦スイッチ（図示せず）が配設されている。
【０００６】
操作片３０ｂの前面は、図１０（ａ）に示すように、化粧カバー７２に保持されたメンブレンシート７１で覆われている。メンブレンシート７１において操作片３０ｂの前方となる部位が押されると、操作片３０ｂが撓んで押釦スイッチが押操作される。
【先行技術文献】
【特許文献】
【０００７】
【特許文献１】特開平８−４７０５７号公報
【発明の概要】
【発明が解決しようとする課題】
【０００８】
特許文献１に記載されたワイヤレススイッチ発信器では、ベース２０とカバー３０とに加えて、メンブレンシート７１を保持するための化粧カバー７２が必要であるから、少なくとも３点の部品が必要である。
【０００９】
また、操作片３０ｂの前面側に化粧カバー７２が配設されるから、化粧カバー７２の分だけワイヤレススイッチ発信器の厚み寸法（前後方向の長さ寸法）が大きくなる。
【００１０】
本発明は上記事由に鑑みて為されたものであって、部品点数を削減できるとともに、厚み寸法を低減できるワイヤレススイッチ発信器を提供することを目的とする。
【課題を解決するための手段】
【００１１】
請求項１に記載された発明は、前面に開口が開設された箱状のベースと、当該開口を閉塞する板状のカバーと、押操作される操作子を有しベース内に配設された押釦スイッチと、押釦スイッチの操作子が押操作されるとワイヤレス信号を出力するワイヤレス信号送信部とを備え、カバーは、ベースに固定された板状の固定部と、固定部とともにベースの開口を閉塞しヒンジ部を介して一端部が固定部に結合されて他端部が前後方向に移動可能な板状の操作ハンドル部とを備え、操作ハンドル部は、押釦スイッチの操作子に当接し前面に押操作される操作面を有していることを特徴とする。
【００１２】
請求項２に記載された発明では、請求項１に記載された発明において、前記操作ハンドル部は、前記固定部に結合される端部とは反対側の端部の後面に突設された脚部と脚部の先端部から脚部の突設方向と交差する方向に突設された引掛部とを有する鉤片を備え、前記ベースに対して定位置に固定され操作ハンドル部の後面と鉤片の引掛部との間に挿入されるとともに前後方向の寸法が操作ハンドル部の後面と鉤片の引掛部との間の距離よりも小さく形成された係止片が設けられていることを特徴とする。
【００１３】
請求項３に記載された発明では、請求項２に記載された発明において、一端部が前記ベースに対して定位置に固定され他端部が前記操作ハンドル部における前記固定部に結合された端部とは反対側の端部の後面に当接し操作ハンドル部の前記操作面に押力を作用させたときに後方に撓むことにより操作ハンドル部への復帰力を付与する復帰片を備えることを特徴とする。
【００１４】
請求項４に記載された発明は、請求項３に記載された発明において、前記ベースとは別部材であってベースの開口における前記固定部に覆われていない部位を覆う形でベースに対して定位置に固定された合成樹脂成形品の中カバーが付加され、前記係止片と前記復帰片との少なくとも一方は、中カバーに形成されていることを特徴とする。
【００１５】
請求項５に記載された発明は、請求項２に記載された発明において、前記ベースとは別部材であってベースの開口における前記固定部に覆われていない部位を覆う形でベースに対して定位置に固定された合成樹脂成形品の中カバーが付加され、前記係止片は、中カバーに形成されていることを特徴とする。
【００１６】
請求項６に記載された発明は、請求項１に記載された発明において、前記ベースとは別部材であってベースの開口における前記固定部に覆われていない部位を覆う形でベースに対して定位置に固定された合成樹脂成形品の中カバーが付加され、中カバーには、前記操作ハンドル部における固定部に結合された端部とは反対側の端部の後面に当接し操作ハンドル部の前記操作面に押力を作用させたときに後方に撓むことにより操作ハンドル部への復帰力を付与する復帰片が形成されていることを特徴とする。
【００１７】
請求項７に記載された発明では、請求項３に記載された発明において、前記係止片と前記復帰片との少なくとも一方は、前記ベースに形成されていることを特徴とする。
【００１８】
請求項８に記載された発明では、請求項２に記載された発明において、前記係止片は、前記ベースに形成されていることを特徴とする。
【００１９】
請求項９に記載された発明では、請求項１に記載された発明において、前記ベースには、前記操作ハンドル部における前記固定部に結合された端部とは反対側の端部の後面に当接し操作ハンドル部の前記操作面に押力を作用させたときに後方に撓むことにより操作ハンドル部への復帰力を付与する復帰片が形成されていることを特徴とする。
【発明の効果】
【００２０】
請求項１に記載された構成では、ベースの開口を閉塞するカバーに、ベースに固定された板状の固定部と、ヒンジ部を介して一端部が固定部に結合されて他端部が前後方向に移動可能な板状の操作ハンドル部とを設けているから、カバーの一部により押釦スイッチの操作部を押操作することができ、その結果、カバーとベースとの２部品での構成が可能になって部品点数の少ないワイヤレススイッチ発信器を提供することができるという利点がある。また、操作ハンドル部は、前面に押操作される操作面を有しているから、操作面から押釦スイッチの操作子までの寸法を小さくすることができ、その結果、厚み寸法（前後方向の長さ寸法）の小さいワイヤレススイッチ発信器を実現できるという利点がある。
【００２１】
請求項２に記載された構成では、ベースに対して定位置に固定され操作ハンドル部の後面と鉤片の引掛部との間に挿入される係止片をベース側に備えているから、操作ハンドル部が前方に引っ張られた場合に鉤片の引掛部の前面が係止片により係止され、操作ハンドル部の移動を規制してカバーの変形を防止することができるという利点がある。
【００２２】
請求項３に記載された構成では、復帰片は、操作ハンドル部の復帰を補助するから、操作ハンドル部の復帰を確実に行うことができるという利点がある。
【００２３】
請求項４〜６に記載された構成では、係止片と復帰片との少なくとも一方を、ベースとは別部材である中カバーに形成しているから、ベースに係止片と復帰片との両方を設ける場合に比べてベースの形状が単純化されになり、ワイヤレススイッチ発信器の製造が容易になるという利点がある。また、中カバーは、ベースの開口における固定部に覆われていない部位を覆うから、カバーに複数の操作ハンドル部を設けた場合には、各操作ハンドル部間の隙間が中カバーで遮蔽され、操作ハンドル部間から内部が見えないとともに、ベース内への異物の進入を防止することができるという利点がある。
【００２４】
請求項７〜９に記載された構成では、係止片と復帰片との少なくとも一方を、ベースに形成しているから、少ない部品点数でワイヤレススイッチを構成することができるという利点がある。
【図面の簡単な説明】
【００２５】
【図１】実施形態１を示す前面側から見た分解斜視図である。
【図２】同上の後面側から見た分解斜視図である。
【図３】同上を示す図であり、（ａ）は正面図で、（ｂ）は同図（ａ）のＸ−Ｘ線断面図である。
【図４】同上の斜視図である。
【図５】同上に用いる中カバーの斜視図である。
【図６】実施形態２を示す断面図である。
【図７】同上に用いる中カバーの斜視図である。
【図８】実施形態３を示す断面図である。
【図９】同上に用いるベースの斜視図である。
【図１０】従来例を示す図であり、（ａ）は正面図、（ｂ）は側面図、（ｃ）は下面図である。
【図１１】従来例の用いる化粧カバーを外した状態の正面図である。
【発明を実施するための形態】
【００２６】
（実施形態１）
本実施形態で例示するワイヤレススイッチ発信器は、図１に示すように、ワイヤレス信号を出力するための発光素子５２が実装された基板５０を収容する薄箱状のケース１０を備える。ケース１０は、図３（ａ）に示すように、前面が矩形状に形成される。以下では、ケース１０の前面における長手方向を上下方向とし、短手方向を左右方向として説明する。
【００２７】
図４に示すように、ケース１０の上面には、信号窓２４が開設され、発光素子５２は、信号窓２４に対向して配設される。発光素子５２には、赤外線発光ダイオードを用いる。
【００２８】
図１，２に示すように、ケース１０の下面には、電池（図示せず）を保持する電池カバー５３が挿入されるスロット２５が開設される。電池には、コイン形のものを用いている。
【００２９】
ケース１０は、前面にベース開口２１が開設されたベース２０と、ベース開口２１を閉塞する板状のカバー３０とで構成される。ベース２０とカバー３０とは、合成樹脂成形品からなる。
【００３０】
カバー３０は、ベース２０の前面の下部を覆う板状の固定部３１と、固定部３１の上方に配置されベース２０の前面の上部を覆う板状の操作ハンドル部３２とが、ヒンジ部３５を介して連続一体に結合された構成を有する。図示例では、左右２個の操作ハンドル部３２を設けている。両操作ハンドル部３２の間には、分離スリット３２ｂが形成される。
【００３１】
固定部３１の後面における左右の両端部には、ベース２０内に挿入されてベース２０の左右の壁の内側面にそれぞれ当接する一対の嵌合片３３が突設される。各嵌合片３３の外側面には、それぞれ上下一対の係合爪３４が突設される。
【００３２】
ベース２０の左右の壁の内側面には、係合爪３４と嵌合する嵌合凹所２６がそれぞれ凹設される。したがって、係合爪３４を嵌合凹所２６に嵌合させることにより、固定部３１がベース２０に固定される。
【００３３】
ヒンジ部３５は、カバー３０の前面から溝状に窪ませることにより形成されており、操作ハンドル部３２は、ヒンジ部３５を介して固定部３１に揺動自在に支持される。また、操作ハンドル部３２の前面の上部は、押操作される操作面３２ａになっている。なお、ヒンジ部３５を、固定部３１の上端部と操作ハンドル部３２の下端部とを結合する薄肉部として構成することもできる。
【００３４】
各操作ハンドル部３２の後面の上部には、操作凸部３７がそれぞれ突設される。各操作凸部３７の後方には、基板５０に実装された押釦スイッチ５１が配設され、操作ハンドル部３２の押操作により押釦スイッチ５１の操作子５１ａが操作凸部３７に押下され、発光素子５２からワイヤレス信号が送出される。
【００３５】
上述したように、カバー３０とベース２０とによりケース１０が形成され、また、カバー３０の一部（操作ハンドル部３２）により押釦スイッチ５１の操作子５１ａが押下されるから、ベース２０とカバー３０との２部品でワイヤレススイッチ発信器を構成することができ、部品点数の少ないワイヤレススイッチ発信器を提供することができる。すなわち、３部品が必要であった従来構成に比較して、ケース１０の厚み寸法（前後方向の長さ寸法）を小さくでき、厚み寸法の小さいワイヤレススイッチ発信器を提供することができる。
【００３６】
ところで、本実施形態では、操作ハンドル部３２と基板５０との間には、合成樹脂成形品である板状の中カバー６０が配設される。中カバー６０は、ベース開口２１における固定部３１に覆われていない部位を覆う大きさに形成される。したがって、分離スリット３２ｂからケース１０の内部が見えないようにするとともにケース１０内への異物の進入を防止することができる。
【００３７】
中カバー６０における各押釦スイッチ５１にそれぞれ対応する位置には、操作凸部３７で押釦スイッチ５１の操作子５１ａを押すための中カバー開口６２がそれぞれ貫設される。
【００３８】
中カバー６０の左右の周面には、図５に示すように、上下一対の係合凸部６１がそれぞれ突設される。また、図１，２に示すように、ベース２０の左右の壁の内側面には、各係合凸部６１にそれぞれ嵌まる係合凹所２７がそれぞれ凹設される。したがって、係合凸部６１を係合凹所２７に係合させることにより、中カバー６０がベース２０の上部に固定される。
【００３９】
各中カバー開口６２の下側の周壁の左右両端部からは、２個の復帰片６３が上方にそれぞれ突設され、各操作ハンドル部３２の後面には、復帰片６３の先端部に当接する復帰凸部３８が突設される。操作面３２ａが押操作されると、図３（ｂ）に二点鎖線で示すように、復帰凸部３８により復帰片６３が後方に撓み、復帰片６３は、操作ハンドル部３２への復帰力を付与する。したがって、復帰片６３により操作ハンドル部３２の復帰が補助され、操作ハンドル部３２の復帰を確実に行うことができる。
【００４０】
図１，２に示すように、中カバー６０における各中カバー開口６２の上方には、下向きに突出する係止片６４が、連続一体に形成される。一方、各操作ハンドル部３２の後面において係止片６４に対応する部位には、鉤片３９がそれぞれ突設される。鉤片３９は、操作ハンドル部３２の後面に突設された脚部３９ａの先端部から引掛部３９ｂが上向きに突設された構成を有する。カバー３０は、係止片６４が操作ハンドル部３２の後面と鉤片３９の引掛部３９ｂとの間に挿入されるようにベース２０に取り付けられる。
【００４１】
係止片６４の前後方向の厚み寸法は、操作ハンドル部３２の後面と鉤片３９の引掛部３９ｂとの間の距離よりも小さく設定され、係止片６４の後面が引掛部３９ｂの前面に当接しているときの係止片６４と操作ハンドル部３２の後面との間の距離が、操作ハンドル部３２の可動距離になる。
【００４２】
引掛部３９ｂの前面が係止片６４の後面に当接していることにより、操作ハンドル部３２における前方への移動が規制され、操作ハンドル部３２の周面に指を当てて操作ハンドル部３２を前方に引っ張ったとしても、カバー３０が反ることがない。
【００４３】
また、組立時において、操作ハンドル部３２が固定部３１に対して前方に倒れた形でヒンジ部３５においてカバー３０が変形していても、係止片６４を操作ハンドル部３２の後面と引掛部３９ｂとの間に挿入することにより、カバー３０の変形を矯正することができる。
【００４４】
上述のように、本実施形態では、復帰片６３と係止片６４とを中カバー６０に形成するから、操作ハンドル部３２に付随して設けられる復帰片６３や係止片６４をベース２０に設ける必要がなく、ベース２０の形状が単純になってベース２０の成形が容易になる。
【００４５】
また、中カバー６０は、基板５０と操作ハンドル部３２との間に配設されるから、中カバー６０によってワイヤレススイッチ発信器の前後方向の長さ寸法が大きくなることはない。
【００４６】
ところで、本実施形態のワイヤレススイッチ発信器は、板状の取付ホルダ４０を用いて壁に設置することができる。取付ホルダ４０は、前面が矩形状に形成され、複数個の取付ねじ（図示せず）がそれぞれ前方より挿通される複数個の取付孔４２が貫設されている。取付ホルダ４０は、後面が壁面側となり長手方向が上下方向となるように取付ねじにより壁に固定される。取付ホルダ４０の前面の中央部には、ケース１０を着脱自在に支持するための嵌合突部４１が上下方向に沿って突設され、嵌合突部４１における左右の周面には、取付溝４１ａが上下方向にそれぞれ形成されている。一方ベース２０の後壁の中央部には、取付ホルダ４０の嵌合突部４１に嵌合する嵌合溝２２が、下方に開放された形で凹設される。
【００４７】
嵌合溝２２の下方より嵌合突部４１を嵌合溝２２に嵌めることにより、ケース１０は、取付ホルダ４０の前面に取着される。したがって、ワイヤレススイッチ発信器を取付ホルダ４０に取着して壁スイッチとして使用できる。
【００４８】
上述したように、ケース１０の厚み寸法（前後方向の長さ寸法）を小さくできるから、取付ホルダ４０に取着した場合の壁面からの突出寸法が小さくなる。
【００４９】
なお、操作ハンドル部３２は２個に限られるものではく、１個または３個以上であってもよい。
【００５０】
（実施形態２）
本実施形態では、図６，７に示すように、２個の操作ハンドル部３２のうちの１個の操作ハンドル部３２の揺動を禁止するための固定用突起６５を中カバー６０に形成した点が実施形態１と異なる。他の構成は実施形態１のワイヤレススイッチ発信器と同様である。
【００５１】
固定用突起６５は、中カバー６０の前面における右側の中カバー開口６２の上方となる部位に突設される。固定用突起６５は、係止片６４の後面が引掛部３９ｂの前面に当接した状態において操作ハンドル部３２の後面に先端が当接する突出寸法を有する。
【００５２】
図７に示す例では、右側の操作ハンドル部３２は、係止片６４により前方への移動が規制され、固定用突起６５により後方への移動が規制され、その結果、揺動が禁止される。したがって、操作入力部が１つのワイヤレススイッチ発信器と操作入力部が２つのワイヤレススイッチ発信器とを、中カバー６０を代えるだけで同じケース１０で実現することができる。本実施形態では、右側の操作ハンドル部３２の揺動を禁止した例を示したが、左側の操作ハンドル部３２の揺動を禁止することもできる。
【００５３】
（実施形態３）
本実施形態では、図８，９に示すように、中カバー６０（図１参照）を備えず、復帰片６３’および係止片６４’をベース２０に形成した点が、実施形態１と異なる。他の構成は、実施形態１のワイヤレススイッチ発信器と同様である。
【００５４】
復帰片６３’は、ベース２０の底壁内面の上部における基板５０に覆われない部位から前方に突設された腕片６６の先端部から上方に突設される。また、係止片６４’は、ベース２０の上壁の前端部から下方に突設される。復帰片６３’は、実施形態１で説明した復帰片６３（図５参照）と同様に、操作ハンドル部３２への復帰力を付与する。係止片６４’は、実施形態１で説明した係止片６４（図５参照）と同様に、操作ハンドル部３２の前方への移動を禁止する。
【００５５】
復帰片６３’および係止片６４’をベース２０に形成することにより、中カバー６０が不要となるため、実施形態１よりも少ない部品点数でワイヤレススイッチを構成することができる。
【００５６】
実施形態１では、復帰片６３’と係止片６４’との両方を、ベース２０に形成した例を示し、実施形態３では、復帰片６３と係止片６４との両方を、中カバー６０に形成した例を示した。但し、復帰片と係止片との一方をベース２０に形成し、他方を中カバー６０に形成する構成を採用することが可能である。また、ワイヤレススイッチ発信器が係止片と復帰片との一方のみを有する構成を採用することも可能である。この場合、復帰片または係止片は、ベース２０に形成され、中カバー６０を備えていれば、中カバー６０に形成することができる。
【符号の説明】
【００５７】
１０  ケース
２０  ベース
３０  カバー
３１  固定部
３２  操作ハンドル部
３２ａ  操作面
３５  ヒンジ部
３９  鉤片
３９ａ  脚部
３９ｂ  引掛部
５１  押釦スイッチ
５１ａ  操作子
５２  発光素子（ワイヤレス信号送信部）
６０  中カバー
６３，６３’  復帰片
６４，６４’  係止片
【図１】
2010198794.tif 000003
【図２】
2010198794.tif 000004
【図３】
2010198794.tif 000005
【図４】
2010198794.tif 000006
【図５】
2010198794.tif 000007
【図６】
2010198794.tif 000008
【図７】
2010198794.tif 000009
【図８】
2010198794.tif 000010
【図９】
2010198794.tif 000011
【図１０】
2010198794.tif 000012
【図１１】
2010198794.tif 000013